(57)【要約】      （修正有）【課題】介護患者をベットから介護用浴槽に移送する労働の軽減すると共に、患者を抱きかかえないで入浴させることができる介護用移送入浴装置を提供する。【解決手段】移送装置２０と、移動式の入浴装置５０と、から成る介護用移送入浴装置であって、移送装置２０は、走行フレーム部と、基台フレーム部と、寝台ネット部と、で構成され、入浴装置５０は、介護用浴槽の底面下方部に移動車輪を設けて基台フレームの下方に差し込み可能とする。寝台ネット部を矩形の枠付ストレッチャー６０とし、枠付ストレッチャー６０の片差込み長手方向の任意の箇所に回転ローラー６２を設けると共に、基台フレームの差込み長手方向の任意の箇所に設けられる取り外し可能のロープ連結部６４に連結した巻取りロープ６３を巻取り装置３４で巻き取ることによって、枠付ストレッチャー６０を水平に昇降させ、寝台ネット上の介護患者を移送ならびに入浴させる。【選択図】図６
2010142666.tif 000002
【特許請求の範囲】
【請求項１】
介護患者をベットから介護用浴槽に移送する移送装置と、介護入浴する移動式の入浴装置と、から成る介護用移送入浴装置であって、
前記移送装置は、走行フレーム部と、基台フレーム部と、寝台ネット部と、で構成され、
前記走行フレーム部は、低床車輪を備える矩形の走行フレームの長手方向の一側端に高さ調節機構を設けて成り、
前記基台フレーム部は、上方部には上面が開口する矩形の基台フレーム上に巻取りシャフトを支持するシャフト軸受け部を設け、下方部には前記高さ調節機構に連結する片持ち垂直フレームを設けて成り、
前記寝台ネット部は、寝台ネットの長手方向に形成されるループ状のチチ部を前記基台フレームの長手方向の一側部に鋲着すると共に、他方側部を巻取りシャフトに巻着して成り、
前記移動式の入浴装置は、介護用浴槽の底面下方部に移動車輪を設け、一側面に給排水口とシャワー装置を設けて前記基台フレームの下方に差し込み可能とし、
前記寝台ネットを巻取り装置で巻き取ることによって寝台ネット上の介護患者を上下動させて前記移動式の入浴装置に移送ならびに入浴させることを特徴とする介護用移送入浴装置。
【請求項２】
前記寝台ネット部を矩形の枠付ストレッチャーとし、該枠付ストレッチャーの両側長手方向の任意の箇所に回転ローラーを設けると共に、
前記基台フレームの差込み長手方向の任意の箇所に設けられる取り外し可能のロープ連結部に連結した巻取りロープの他端部を巻取りシャフトで巻き取ることができる構造とし、
前記枠付ストレッチャーの回転ローラーを前記巻取りロープ上に載置させ、該巻取りロープを巻取り装置で巻き取ることによって、前記枠付ストレッチャーを水平に昇降させることを特徴とする請求項１記載の介護用移送入浴装置。
【発明の詳細な説明】
【技術分野】
【０００１】
本発明は、介護患者を抱きかかえないでベットから介護用浴槽に移送することができる介護用移送入浴装置に関する。
【背景技術】
【０００２】
従来の介護患者をベットから介護用浴槽に移送する介護用の移送装置ならびに入浴装置に関しては、吊り上げ装置、搬送装置、昇降装置、ネット、便器、介護ベット、浴槽などが備えられ、それらの組み合わせによって多種多様の電動式ならびに手動式の介護装置が提供されている。
【０００３】
例えば、「介護用ベット」（特許文献1参照)や、「患者介護用ベット」(特許文献２参照)や、「老人介護に関する・・・ベース兼用フレーム」(特許文献３参照)や、「介護用移動補助装置」 (特許文献４参照) や、「身体吊上具」 (特許文献５参照)などが提案されている。
【０００４】
しかしながら、上記の吊り上げ装置、巻き取り装置、介護ベット、浴槽などを備えた電動式の「介護用ベット」（特許文献1参照)や、介護ベットに起伏・回転機能やハンモッグ、便器、浴槽などを備えた「患者介護用ベット」(特許文献２参照)や、ベット内にベルト搬送装置を内蔵し、昇降ならびにスライド搬送機能を有した移送装置によって側面に配置される浴槽に介護患者を移送する「老人介護に関する・・・ベース兼用フレーム」(特許文献３参照)などにおいては、いずれも装置全体が大型で重量がある上、設置スペースを独占的に占有するものであり、また電動式であるため停電時に使用できないことや、装置自体の価格が高額であることから、小さな介護施設や一般家庭での導入は困難なものであった。
【０００５】
また、「介護用移動補助装置」 (特許文献４参照)においては、走行体のアームの回動動機構によって介護患者を上下して移動する装置の提案であるが、該提案は、電動式であるための配線コードを備える長尺の走行体を移動させるには配線コンセントの確保と同時に、それに伴う介護者の介護作業ならびに介護負担が発生するものであり、また電動式であるため停電時に使用できないことや、装置自体の価格が高額であることから、小さな介護施設や一般家庭での導入は困難なものであった。
【０００６】
また、「身体吊上具」 (特許文献５参照)においては、手動式の身体吊上具の提案ではあるが、該提案は、介護作業を補助する装置の提案ではなく、「ハンモック状の身体吊上具」としての介護患者の身体負担を軽減する提案であって、事実、提案される身体吊上具を吊り上げる装置に関しては何ら新しい機能を有しておらず、むしろ吊り上げ作業を行う介護者の肉体的労働負担と、宙吊りになった介護患者が不安定な状態で移動する際の危険性が危惧されるものであった。
【先行技術文献】
【特許文献】
【０００７】
【特許文献１】特開２００１-２１８７９８号公報
【特許文献２】実開平６-３４６２１号公報
【特許文献３】特開２００４-２０８９８５号公報
【特許文献４】特開平８-１９６５６９号公報
【特許文献５】特開２００１-１０４４０６号公報
【発明の概要】
【発明が解決しようとする課題】
【０００８】
本発明は上記問題点を鑑み、介護患者をベットから介護用浴槽に移送する際の介護労働の軽減を図ると共に、介護患者を抱きかかえないで入浴させることができる介護用移送入浴装置の提供を図るものである。
【０００９】
本発明による介護用移送入浴装置の従来の介護用入浴装置と大きく異なる点は、移送装置には、走行フレーム部と基台フレーム部に介護患者をベット上で転がして移動する機能を持たせ、寝台ネット部ならびに枠付ストレッチャーには、屈曲するネット、ロープ、帯体等で介護患者を介護用浴槽内部に平行に昇降させて入浴させる機能を分けて持たせているもので、介護患者をベットから持ち上げるリフト機能と介護患者を介護用浴槽内に入浴させる機能を同じくしているか、または一方の機能しか備えていない従来の介護用入浴装置とは異なる構造とすることで介護患者に身体負担を与えないと同時に、介護者が介護患者を抱きかかえないで入浴させることができる介護用移送入浴装置とするものである。
【課題を解決するための手段】
【００１０】
本発明による介護用移送入浴装置は、介護患者をベットから介護用浴槽に移送する移送装置と入浴介護ができる移動式の入浴装置とから成る介護用移送入浴装置であって、該移送装置は、走行フレーム部と基台フレーム部と寝台ネット部とで構成され、走行フレーム部は、低床車輪を備える矩形の走行フレームの長手方向の一側端に高さ調節機構を設けて成り、基台フレーム部は、上方部には上面が開口する矩形の基台フレーム上に巻取りシャフトを支持するシャフト軸受け部を設け、下方部には高さ調節機構に連結する片持ち垂直フレームを設けて成り、寝台ネット部は、寝台ネットの長手方向に形成されるループ状のチチ部を基台フレームの長手方向の一側部に鋲着すると共に、他方側部を巻取りシャフトに巻着して成り、移動式の入浴装置は、介護用浴槽の底面下方部に移動車輪を設け、一側面に給排水口とシャワー装置を設けて基台フレームの下方に差し込み可能に設けて成り、寝台ネットを巻取り装置で巻き取ることによって寝台ネット上の介護患者を上下動させて介護用浴槽に移送ならびに入浴させる手段を採る。
【００１１】
また、本発明による介護用移送入浴装置は、寝台ネット部を矩形の枠付ストレッチャーとし、該枠付ストレッチャーの両側長手方向の任意の箇所に回転ローラーを設けると共に、基台フレームの差込み長手方向の任意の箇所に設けられる取り外し可能のロープ連結部に連結した巻取りロープの他端部を巻取りシャフトで巻き取ることができる構造とし、枠付ストレッチャーの回転ローラーを巻取りロープ上に載置させ、該巻取りロープを巻取り装置で巻き取ることによって、枠付ストレッチャーを水平に昇降させる手段を採る。
【発明の効果】
【００１２】
本発明の介護用移送入浴装置は、装置自体がフレームとネットと巻き取り装置で構成される簡単構造であることから小型・軽量であることや、簡単に操作できることなどのメリットを持つ上、購入コストが安価で経済的でもあることから小施設や一般家庭での導入が容易な優れた効果を奏する。
【００１３】
また、本発明の介護用移送入浴装置は、寝台ネットを巻取り装置で巻き取って介護患者を上下動させて介護作業を行うことから、介護者が介護患者を抱きかかえることがない上、巻き取る作業においても寝台ネットの片側を寝台フレームに固定して反対側を巻取ることから、定滑車の片持ちの原理で介護患者の半分の体重（荷重）を巻取ればよく、さらに巻取りハンドルのモーメント効果も手伝ってさらに少ない力で介護患者を上下動させることができるため、介護者の介護負担ならびに介護患者の身体負担が少ない優れた効果を奏する。
【００１４】
また、本発明の介護用移送入浴装置は、移送装置が介護患者が寝ているベットに差し込み可能な構造と、枠付ストレッチャーによる垂直昇降機能を有する介護用浴槽であることから、寝台ネット上に移送された介護患者を最小限の上下動で入浴させることができるため、従来最も重労働だった介護患者を抱きかかえたり、持ち上げたりする介護者の介護負担を大幅に軽減すると共に、基本的に一人の介護者で多くの介護作業ができることから介護要員の人員削減が可能になるものであり、さらに介護患者自身の身体負担が少ない入浴装置の提供が図れる優れた効果を奏する。
【００１５】
また、本発明の介護用移送入浴装置は、枠付ストレッチャーが介護患者の入浴介護以外の介護作業に単独で使用することができる優れた効果を奏する。
【００１６】
また、本発明の介護用移送入浴装置は、小型・軽量であることから、例えば、介護患者が寝起きする部屋内に本介護用移送入浴装置を設置することによって、介護入浴はもちろんのこと、応接用の椅子や机、棚などとしてもベット周りの介護スペースを日常の生活空間として有効に利用できる優れた効果を奏する。
【図面の簡単な説明】
【００１７】
【図１】本発明における介護用移送入浴装置の全体構成を示す説明図である。（実施例１  ）
【図２】本発明における介護用移送入浴装置をベットに差し込む状態を示す説明図である。（実施例２）
【図３】本発明における介護用移送入浴装置を介護用浴槽に差し込む状態を示す説明図である。（実施例３）
【図４】本発明における介護用移送入浴装置の実施形態を示す説明図である。（実施例４）
【図５】本発明における介護用移送入浴装置の実施形態を示す説明図である。（実施例５）
【図６】本発明における介護用移送入浴装置の別の実施形態を示す説明図である。（実施例６）
【発明を実施するための形態】
【００１８】
本発明の介護用移送入浴装置は、介護患者をベットから介護用浴槽に移送する移送装置と、介護入浴する移動式の入浴装置と、から成る介護用移送入浴装置であって、移送装置は、走行フレーム部と、基台フレーム部と、寝台ネット部と、で構成され、入浴装置は、介護用浴槽の底面下方部に移動車輪を設けて基台フレームの下方に差し込み可能とし、寝台ネットを巻取り装置で巻き取ることによって寝台ネット上の介護患者を上下動させて移動式の入浴装置に移送ならびに入浴させる手段と、寝台ネット部を矩形の枠付ストレッチャーとし、該枠付ストレッチャーの両側長手方向の任意の箇所に回転ローラーを設けると共に、基台フレームの差込み長手方向の任意の箇所に設けられる取り外し可能のロープ連結部に連結した巻取りロープの他端部を巻取りシャフトで巻き取ることができる構造とし、枠付ストレッチャーの回転ローラーを巻取りロープ上に載置させ、該巻取りロープを巻取り装置で巻き取ることによって、枠付ストレッチャーを水平に昇降させる手段を採ったことを最大の特徴とするもので、以下、実施例を図面を基に説明する。
【００１９】
尚、本発明における介護用移送入浴装置１０は、以下に述べる実施例に限定されるものではなく、特に外形形状や寸法ならびに材質は、本発明の趣旨に逸脱しない範囲で変更することができる。
【実施例１】
【００２０】
図１は、本発明における介護用移送入浴装置の全体構成を示す斜視図である。
図（ａ）は介護用移送入浴装置１０の全体斜視図である。
本発明の介護用移送入浴装置１０は、介護患者ＫをベットＢから介護用浴槽５１に移送する移送装置２０と、入浴介護を行う移動式の入浴装置５０の二つの装置で構成される。
【００２１】
図（ｂ）は介護用移送入浴装置１０の分解斜視図である。
本発明における介護用移送入浴装置１０は、手動式の簡単な構造でありながら介護者Ｎに介護負担がかからない装置で、下記にその内容を詳しく述べる。
【００２２】
移送装置２０は、走行フレーム部２１と基台フレーム部３０と寝台ネット部４０とで構成され、主に介護患者ＫをベットＢから介護用浴槽５１に移送する目的で設けられるもので、使用しない時は、蓋を被せてテーブルおよび作業机としてや、花置台や棚として使用することができる。
【００２３】
走行フレーム部２１は、走行フレーム２２と低床車輪２３と高さ調整機構２４を備えて構成される。
【００２４】
走行フレーム２２は、構造用パイプを使用した矩形の筐体で構成され、下方部四隅には低床車輪（キャスタ）２３が備えられ、上方部には高さ調整機構２４が立設されている。
【００２５】
低床車輪２３は、自在キャスタとストッパ付自在キャスタが使われ、走行フレーム２２の下方部四隅に備えられる。低床車輪２３の高さは、ベットＢや移動式の入浴装置５０の底下に差し込まれるためできるだけ低く設定することが望ましい。
【００２６】
高さ調整機構２４は、ベットＢと移動式の入浴装置５０に差し込み可能な高さに合わせるための機構で、走行フレーム２２の上方部に立設され、基台フレーム３１の下方部の片持ち垂直フレーム３５の高さ調整穴と走行フレーム２２の高さ調整穴を連結した状態でロックピンを高さ調整ロック穴から差し込みヘアピンで止められて固定される。
【００２７】
基台フレーム部３０は、基台フレーム３１と片持ち垂直フレーム３５と巻取りシャフト３２とシャフト軸受け部３３と巻取り装置３４とで構成される。
【００２８】
基台フレーム３１は、上方部には上面が開口する矩形の基台フレーム３１上に巻取りシャフト３２を支持するシャフト軸受け部３３を備えると共に、下方部には高さ調節機構２４に連結する片持ち垂直フレーム３５を備えて構成されるもので、ベットＢの側面または上面に差し込まれるものである。
【００２９】
巻取りシャフト３２は、シャフト軸受け部３３によって両端で支持され、寝台ネット４１の一方の端部を巻着し、巻き取るものである。
【００３０】
シャフト軸受け部３３は、巻取りシャフト３２を基台フレーム３１上で支持するもので、基台フレーム３１の差し込み側の後方に設けられる。
【００３１】
巻取り装置３４は、巻取りシャフト３２の一端に設けられるもので、手動式の巻取りハンドルや電動式の巻取りモータとすることができる。
【００３２】
片持ち垂直フレーム３５は、基台フレーム３１を片持ち状態で保持する構造のフレームで、高さ調節機構２４に嵌め込まれることによってベットＢや移動式の入浴装置５０に差し込む構造を有する。
【００３３】
寝台ネット部４０は、介護患者Ｋを担架状のネット帯に乗せるもので、基台フレーム３１と巻取りシャフト３２に鋲着ならびに巻着される構造を有する。
【００３４】
寝台ネット４１は、一方をチチ部４２を形成して基台フレーム３１に鋲着し、もう一方を巻取りシャフト３２に巻着して張架される。ネット取付けカバー４３によって確実に取り付けられ、寝台ネット４１のたわみ量によって介護患者Ｋが上下動して介護用浴槽５１に浸される構造を有する。
【００３５】
入浴装置５０は、介護患者Ｋが横わたって身体が浸る程度の浅めの介護用の浴槽であって、介護用浴槽５１の底面下方部に移動車輪５４を設け、一側面に給排水口５２とシャワー装置５３を設けて基台フレーム３１の下方に差し込み可能とした構造を有する。
【実施例２】
【００３６】
図２は、本発明における介護用移送入浴装置をベットに差し込む状態を示す説明図である。
介護患者Ｋが寝ているベットＢに移動装置２０を差し込んで入浴装置５０まで移送するものである。
（詳細は図４の（ａ）（ｂ）（ｃ）に示す）
【実施例３】
【００３７】
図３は、本発明における介護用移送入浴装置を介護用浴槽に差し込む状態を示す説明図である。
介護患者Ｋが寝かされている移動装置２０を入浴装置５０に差し込んで入浴させるものである。（詳細は図４の（ｆ）（ｇ）（ｈ）に示す）
【実施例４】
【００３８】
図４は、本発明における介護用移送入浴装置の実施形態を示す説明図である。
（ａ）介護用準備を整え、移送装置２０の寝台ネット４１を水平に張った状態にする。
（ｂ）ベットＢに寝ている介護患者Ｋを一旦移送する方向に背を向けて横向きの状態にして、移送装置２０を介護患者Ｋの身体の近くまで差し込む。
（ｃ）介護患者Ｋを仰向けにして寝台ネット４１上に寝かせた状態で移動装置２０を引き戻す。
（ｄ）介護患者Ｋを寝台ネット４１上に寝かせた状態の移送装置２０をベットＢの位置から介護用浴槽５１の上まで方向転換させて移動する。
【実施例５】
【００３９】
図５は、本発明における介護用移送入浴装置の実施形態を示す説明図である。
（ｅ）移送装置２０を操作して介護患者Ｋのポジションと介護用浴槽５１の位置を合わせる。
（ｆ）巻取り装置３４を回して寝台ネット４１を徐々に緩めて介護患者Ｋを下降させ、介護患者Ｋが介護用浴槽５１に浸ったら巻取り動作を停止し、介護患者Ｋを入浴させる。
（ｇ）さらに、寝台ネット４１を徐々に緩めて介護用浴槽の底まで介護患者Ｋの身体が着くようにして介護患者Ｋの姿勢を自由にする。
（ｈ）本発明の介護用移送入浴装置１０を使用しない場合の実施例で、入浴装置５０の上面に蓋をすることによって、入浴時に使用する機材や入浴具などが入れられる収納ボックスとして利用することができる。また移送装置２０は、テーブルおよび作業机としてや、花置台や棚として使用することができる。
（ｉ）入浴装置５０は、蓋をすることによって長椅子として使用することができるため、介護患者Ｋや家族の人、見舞い客などが座れる応接セットとして利用することができる。
【実施例６】
【００４０】
図６は、本発明における介護用移送入浴装置の別の実施形態を示す説明図である。
図（ａ）は、全体斜視図である。
矩形の枠付ストレッチャー６０を備えた本発明における介護用移送入浴装置１０は、該枠付ストレッチャー６０の枠６１の差込み長手方向の任意の箇所に回転ローラー６２を設けると共に、基台フレーム３１の両側長手方向の任意の箇所に設けられる取り外し可能のロープ連結部６４に連結した巻取りロープ６３の他端部を巻取り装置３４で巻き取る構造としたものである。
【００４１】
図（ｂ）は、枠付寝台ネットの昇降状態を示す側面図である。
矩形の枠付ストレッチャー６０を備えた本発明における介護用移送入浴装置１０は、基台フレーム３１の差込み長手方向の任意の箇所に設けられる取り外し可能のロープ連結部６４に連結した巻取りロープ６３の他端部を巻取りシャフト３２で巻き取ることができる構造とし、枠付ストレッチャー６０の回転ローラー６２を巻取りロープ６３上に載置させ、該巻取りロープ６３を巻取り装置３４で巻き取ることによって、枠付ストレッチャー６０を水平に昇降させることができるものである
【００４２】
図（ｃ）は、枠付寝台ネットの入浴時の使用状態を示す側面図である。
また、矩形の枠付ストレッチャー６０を備えた本発明における介護用移送入浴装置１０は、基台フレーム３１の差込み長手方向の任意の箇所に設けられる取り外し可能のロープ連結部６４を介護患者Ｋの頭部以外を外すことによって介護患者Ｋの頭を上にした状態で入浴させることができるため、介護患者Ｋにおいては、安全で楽な姿勢で入浴介護が受けられ、介護者Ｎにとっても介護患者Ｋの体勢の入れ替え作業など入浴看護が容易にできるものである。
【産業上の利用可能性】
【００４３】
本発明における介護用移送入浴装置は、基本的に一人の介護者で介護患者を抱きかかえないでベットから介護用浴槽に移送することができる介護用移送入浴装置であることから、例えば老人ホームの入居者、骨折患者、寝たきり病人、障害児などの入浴装置として施設用から家庭用まで広く利用できるもので、本発明における介護用移送入浴装置の産業上の利用可能性は極めて大であるものと解する。
【符号の説明】
【００４４】
１０  介護用移送入浴装置
２０  移送装置
２１  走行フレーム部
２２  走行フレーム
２３  低床車輪
２４  高さ調節機構
３０  基台フレーム部
３１  基台フレーム
３２  巻取りシャフト
３３  シャフト軸受け部
３４  巻取り装置
３５  片持ち垂直フレーム
４０  寝台ネット部
４１  寝台ネット
４２  チチ部
４３  ネット取付けカバー
５０  入浴装置
５１  介護用浴槽
５２  給排水口
５３  シャワー装置
５４  移動車輪
６０  枠付ストレッチャー
６１  枠
６２  回転ローラー
６３  巻取りロープ
６４  ロープ連結部
６５  取手
Ｂ    ベット
Ｋ    介護患者
Ｎ    介護者
Ｐ    ビニールシート
Ｒ    部屋
【図１】
2010142666.tif 000003
【図２】
2010142666.tif 000004
【図３】
2010142666.tif 000005
【図４】
2010142666.tif 000006
【図５】
2010142666.tif 000007
【図６】
2010142666.tif 000008